(57)【要約】【課題】印刷機能付き携帯電話と印刷装置を接続したシステムにおいて、印刷機能付き携帯電話のメモリ上にある画像やテキストを印刷中に着信があった場合、電話をかけてきた相手には現在印刷中のため通話できないこと、印刷終了まで何分かかるかなどのメッセージを伝え、印刷終了後、受信者に印刷中に着信があったことを報知する。さらに印刷中に重要な用件で電話をかけてくる可能性がある予め登録しておいた人から着信すると、印刷を中断し通話可能な状態に切り替える機能をも提供する。【解決手段】印刷機能付き携帯電話の内部に、印刷中に電話がかかってきた場合に相手に流すためのメッセージやメモリダイヤル及び重要度の高い電話番号を記憶した記憶部、印刷開始キーを含む操作部を備え、一方、印刷装置内部には、印刷終了時間算出部、エラー検出部及び印刷終了時間、エラーを外部に通知するための情報転送部を備える。【選択図】        図１
2004220468.tif 000002
【特許請求の範囲】
【請求項１】
印刷データを記憶する記憶部、前記記憶部に記憶された印刷データを印刷装置へ送信する印刷データ送信部、モードを設定するモード設定部を備えた携帯情報端末であって、前記印刷送信部から印刷装置へ印刷データを送信して印刷を実行する際は、前記モード設定部により前記携帯情報端末を印刷モードに設定することを特徴とする携帯情報端末。
【請求項２】
外部から送信される印刷データを受信する印刷データ受信部、前記印刷データ受信部により受信した印刷データの印刷終了時間を算出する算出部、前記算出部により算出された印刷終了時間を外部へ送出する情報伝送部を備えたことを特徴とする印刷装置。
【請求項３】
前記印刷終了時間を算出する算出部は、前記印刷データ受信部により受信した印刷データの全データ量を読み込む印刷全データ量情報量読込み部、印刷済みデータ量を算出する印刷済みデータ量算出部を更に備え、前記印刷全データ量情報量読込み部及び印刷済みデータ量算出部より印刷終了時間を算出することを特徴とする請求項２に記載の印刷装置。
【請求項４】
印刷データを記憶する記憶部、前記記憶部に記憶された印刷データを印刷装置へ送信する印刷データ送信部、モードを設定するモード設定部を備えた携帯情報端末、及び、前記携帯情報端末から送信される印刷データを受信する印刷データ受信部、前記印刷データ受信部により受信した印刷データの印刷終了時間を算出する算出部、前記算出部により算出された印刷終了時間を携帯情報端末へ送出する情報伝送部を備えた印刷装置からなることを特徴とする情報印刷システム。
【請求項５】
前記モード設定部は、前記印刷データ送信部から印刷装置へ印刷データを送信して印刷を実行する際は、前記携帯情報端末を印刷モードに設定することを特徴とする請求項４に記載の情報印刷システム。
【請求項６】
前記携帯情報端末は、外部からの着信を受け付けると共に外部へデータを送信する通話処理部と、前記通話処理部を通して外部へ送信する応答メッセージ記憶部を備え、前記モード設定部により印刷モードが設定されている時に前記通話処理部により外部からの着信を受け付けた際、前記携帯情報端末は、前記印刷装置の算出部により算出され前記情報伝送部により送出された印刷終了時間及び、前記応答メッセージ記憶部に記憶された応答メッセージを外部へ送出することを特徴とする請求項５に記載の情報印刷システム。
【請求項７】
前記携帯情報端末は、前記モード設定部により印刷モードが設定されている時に前記通話処理部により外部からの着信を受け付けた際、着信履歴を記憶する記憶部及び、前記着信履歴を表示する表示部を更に備えたことを特徴とする請求項６に記載の情報印刷システム。
【請求項８】
前記印刷装置は更に印刷装置のエラーを検出するエラー検出部を備え、前記エラー検出部によりエラーを検出した際、前記情報伝送部により携帯情報端末へエラーを通知し、携帯情報端末はモード設定部により印刷モードを解除することを特徴とする請求項５に記載の情報印刷システム。
【請求項９】
前記携帯情報端末は更に特定の着信相手を識別する情報を記憶するメモリ部と、前記通話処理部により着信があった場合、その相手が前記メモリ部に記憶された特定の着信相手であるか否かを判定する制御部を備え、特定の着信相手であると検出されると、前記モード設定部により印刷モードを解除することを特徴とする請求項５に記載の情報印刷システム。
【請求項１０】
前記携帯情報端末は、携帯電話であることを特徴とする請求項１に記載の携帯情報端末。
【請求項１１】
前記携帯情報端末は、携帯電話であることを特徴とする請求項４に記載の情報印刷システム。
【請求項１２】
前記特定の着信相手を識別する情報は電話番号であることを特徴とする請求項９に記載の情報印刷システム。
【発明の詳細な説明】
【０００１】
【発明の属する技術分野】
本発明は印刷機能付き携帯電話と印刷装置を有線及びまたは無線で接続したシステムであるところの、携帯情報端末、印刷装置、及び情報印刷システムに関する。
【０００２】
【従来の技術】
近年、いつでもどこでも通話可能な携帯電話を利用する人が着実に増えており、ビジネスに限らず、パーソナルユースとしても使用され、その利用範囲がさらに広くなっている。
【０００３】
従来、携帯電話の内部メモリに格納してある情報を印刷する場合、印刷データを印刷装置に転送中に着信があった場合、受信者が通話するために印刷機能を一度中止しするか、または、印刷処理を優先した場合、呼び出し音が鳴っているにもかかわらず通話することが不可能であった。
【０００４】
【発明が解決しようとする課題】
印刷処理を実行中に着信があった場合、電話をかけてきた相手にはこちら側の状況が伝わらず、電話をかけてきた相手は何度もかけ直すか、または一定時間後かけ直すことをしなければならなかった。また、インクジェット方式などのインクの重ね打ちによる印刷装置の場合、印刷を一旦止めた後、印刷を再開した場合、インクの部分的な乾燥によりその中止した部分がスジとして残ってしまうという問題があった。
【０００５】
本発明の携帯情報端末、印刷装置、及び情報印刷システムにおける目的は、印刷機能付きの携帯電話が印刷データを転送中に着信した場合、印刷データの転送を停止すなわち印刷処理を停止することなく、相手にこちら側の状況（印刷中である状況）を伝えるとともに、印刷終了時間を伝える機能を提供し、さらに、印刷中に重要な用件で電話をかけてくる可能性がある予め登録しておいた人から着信すると、印刷を中断し通話可能な状態に切り替える機能を提供し、さらに、印刷機能付きの携帯電話は、印刷中に印刷装置のエラー検出部より印刷エラーが通知されると、印刷機能付きの携帯電話の印刷処理を直ちに停止し、自動的に通常モード（通常の携帯電話としてのモード）に切り替える機能を提供することである。
【０００６】
【課題を解決するための手段】
本発明は、上記課題を解決するために以下の構成を備える。
【０００７】
印刷機能付き携帯電話と印刷装置を有線または無線で接続したシステムにおいて、印刷機能付き携帯電話の内部に、印刷中に電話がかかってきた場合に相手に流すためのメッセージやメモリダイヤルおよび重要度の高い電話番号を記憶した記憶部、印刷装置との情報の伝達を行うインターフェース部、印刷開始キーを含む操作部を備える。一方、印刷装置内部には、印刷機能付き携帯電話より印刷データを受信するための入力ポート、印刷終了時間算出部、印刷中のエラーを検知するエラー検出部および印刷終了時間、エラーを外部に通知するための情報転送部を備えて、印刷機能付き携帯電話と印刷装置を有線または無線で接続したシステムを構成する。
【０００８】
以上のように印刷機能付き携帯電話と印刷終了時間予測機能付き印刷装置を有線または無線で接続したシステムにおいて、印刷機能付き携帯電話のメモリ上にある画像やテキストの印刷開始指示を実行すると、印刷機能付き携帯電話は自動的に印刷終了までの間、印刷処理を優先したモード（以下印刷モードとする。）に切り替える。
【０００９】
印刷中すなわち印刷モード中に、印刷機能付き携帯電話が着信を検知すると、印刷装置に対して印刷終了時間情報の要求信号を送信し、印刷装置は、印刷終了時間算出部より情報転送部を介して、印刷機能付き携帯電話に印刷終了時間情報が送信される。
【００１０】
一方、印刷機能付き携帯電話は、電話をかけてきた相手に対して予め記録してある現在印刷中のため通話できない旨を伝えるメッセージを流すとともに、印刷装置の印刷終了時間算出部より情報転送部を介して、通知された印刷終了時間情報に基づいて、印刷終了までどのくらいかかるかといったメッセージを伝える。
【００１１】
さらに、印刷中に重要な用件で電話をかけてくる可能性がある予め登録しておいた人から着信すると、印刷を中断し通話可能な状態に切り替える機能を備える。
【００１２】
さらに、印刷機能付き携帯電話は、印刷中に印刷装置のエラー検出部より印刷エラーが通知されると、印刷機能付き携帯電話の印刷処理を直ちに解除し、自動的に通常モード（通常の携帯電話としてのモード）に切り替える機能を備える。
【００１３】
上記構成を、改めて以下（１）〜（１２）に整理して示す。
【００１４】
（１）印刷データを記憶する記憶部、前記記憶部に記憶された印刷データを印刷装置へ送信する印刷データ送信部、モードを設定するモード設定部を備えた携帯情報端末であって、前記印刷送信部から印刷装置へ印刷データを送信して印刷を実行する際は、前記モード設定部により前記携帯情報端末を印刷モードに設定することを特徴とする携帯情報端末。
【００１５】
（２）外部から送信される印刷データを受信する印刷データ受信部、前記印刷データ受信部により受信した印刷データの印刷終了時間を算出する算出部、前記算出部により算出された印刷終了時間を外部へ送出する情報伝送部を備えたことを特徴とする印刷装置。
【００１６】
（３）前記印刷終了時間を算出する算出部は、前記印刷データ受信部により受信した印刷データの全データ量を読み込む印刷全データ量情報量読込み部、印刷済みデータ量を算出する印刷済みデータ量算出部を更に備え、前記印刷全データ量情報量読込み部及び印刷済みデータ量算出部より印刷終了時間を算出することを特徴とする上記（２）に記載の印刷装置。
【００１７】
（４）印刷データを記憶する記憶部、前記記憶部に記憶された印刷データを印刷装置へ送信する印刷データ送信部、モードを設定するモード設定部を備えた携帯情報端末、及び、前記携帯情報端末から送信される印刷データを受信する印刷データ受信部、前記印刷データ受信部により受信した印刷データの印刷終了時間を算出する算出部、前記算出部により算出された印刷終了時間を携帯情報端末へ送出する情報伝送部を備えた印刷装置からなることを特徴とする情報印刷システム。
【００１８】
（５）前記モード設定部は、前記印刷データ送信部から印刷装置へ印刷データを送信して印刷を実行する際は、前記携帯情報端末を印刷モードに設定することを特徴とする上記（４）に記載の情報印刷システム。
【００１９】
（６）前記携帯情報端末は、外部からの着信を受け付けると共に外部へデータを送信する通話処理部と、前記通話処理部を通して外部へ送信する応答メッセージ記憶部を備え、前記モード設定部により印刷モードが設定されている時に前記通話処理部により外部からの着信を受け付けた際、前記携帯情報端末は、前記印刷装置の算出部により算出され前記情報伝送部により送出された印刷終了時間及び、前記応答メッセージ記憶部に記憶された応答メッセージを外部へ送出することを特徴とする上記（５）に記載の情報印刷システム。
【００２０】
（７）前記携帯情報端末は、前記モード設定部により印刷モードが設定されている時に前記通話処理部により外部からの着信を受け付けた際、着信履歴を記憶する記憶部及び、前記着信履歴を表示する表示部を更に備えたことを特徴とする上記（６）に記載の情報印刷システム。
【００２１】
（８）前記印刷装置は更に印刷装置のエラーを検出するエラー検出部を備え、前記エラー検出部によりエラーを検出した際、前記情報伝送部により携帯情報端末へエラーを通知し、携帯情報端末はモード設定部により印刷モードを解除することを特徴とする上記（５）に記載の情報印刷システム。
【００２２】
（９）前記携帯情報端末は更に特定の着信相手を識別する情報を記憶するメモリ部と、前記通話処理部により着信があった場合、その相手が前記メモリ部に記憶された特定の着信相手であるか否かを判定する制御部を備え、特定の着信相手であると検出されると、前記モード設定部により印刷モードを解除することを特徴とする上記（５）に記載の情報印刷システム。
【００２３】
（１０）前記携帯情報端末は、携帯電話であることを特徴とする上記（１）に記載の携帯情報端末。
【００２４】
（１１）前記携帯情報端末は、携帯電話であることを特徴とする上記（４）に記載の情報印刷システム。
【００２５】
（１２）前記特定の着信相手を識別する情報は電話番号であることを特徴とする上記（９）に記載の情報印刷システム。
【００２６】
【発明の実施の形態】
以下、本発明の実施の形態を図面に基づいて詳細に説明する。
【００２７】
図１は、本発明の本実施形態に用いる印刷機能付き携帯電話と印刷装置をケーブル接続したシステムの構成を示す模式図である。ここで、１０１は印刷機能付き携帯電話、１０２は印刷装置、１０３は印刷機能付き携帯電話１０１にある画像データの出力紙、１０４は印刷機能付き携帯電話１０１と印刷装置１０２を接続しデータを伝達するためのケーブルである。
【００２８】
図２は、本発明の一実施形態における印刷機能付き携帯電話１０１の要部構成を示すブロック図である。図２に示すように、本実施形態での印刷機能付き携帯電話１０１は、表示手段としての表示部２０７と、記憶手段としての記憶部２１１と、入力手段としてのキー入力部２０６と、処理手段としての制御部２０８と、通話処理手段としての通話処理部２０３と、電気信号を音声に変換するスピーカ２０４と、音声を電気信号に変換するマイク２０５と、印刷データを印刷装置に対して転送する印刷データ転送部２１０と、印刷制御信号および印刷終了時間情報を送受信する印刷制御信号／情報転送部２０９から構成されている。
【００２９】
次に各構成部分について具体的に説明する。
【００３０】
表示部２０７は、制御部２０８からの指示に従ってデータを表示するものである。記憶部２１１は、本装置の特徴部分であり、制御部２０８における処理プログラムやアイコンの表示データを記憶するほか、一般的なメモリダイヤルを登録する一般メモリダイヤル部２１２のほかに、重要な人を登録しておくための重要な人メモリダイヤル部２１３、留守番電話やドライブモードや本実施例の印刷モードなどの各モードに対応した自動応答メッセージを格納しておく音声データ部２１５、印刷可能なデータを展開しておく印刷データ展開部２１４を備えている。キー入力部２０６は、利用者がキー操作を行うものであり、本装置では、印刷データ展開部２１４に展開されている画像やテキストデータの印刷開始を指示する特定のキー操作ができるものである。また、制御部２０８は、キー入力部２０６からの指示に従って、各ブロックの制御を行う他、表示部２０７における表示制御を行ったり、特に本装置の制御部２０８は、キー入力部２０６からの印刷開始指示に従って、記憶部２１１の印刷データ展開部２１４にある印刷データを印刷データ転送部２１０を介して印刷装置３００（図３）に送信を行うものである。通話処理部２０３は、従来と同様に通話に関する信号処理及び制御を行うものであり、スピーカ２０４、マイク２０５も従来と同様の部分である。通話処理部２０３は、アンテナ２０２を介して無線信号の送受信を行って網と交信し、通話や各種サービスの設定及び解除に伴うデータの送受信を行うようになっている。印刷データ転送部２１０は、キー入力部２０６より印刷指示が実行されると、印刷データ展開部２１４にある印刷データを印刷装置３００に対して逐次送信するものである。印刷制御信号／情報転送部２０９は、キー入力部２０６より印刷指示が実行された場合、印刷実行信号、印刷一時停止信号、印刷中止信号、印刷可能信号などの印刷制御信号および印刷終了時間情報要求信号の転送を行い、およびまた図３に示す印刷装置３００から印刷終了時間算出部３０２より情報転送部３０１を介して転送される印刷終了時間情報を転送する。
【００３１】
次に、記憶部２１１の各部分について説明する。一般メモリダイヤル部２１２は、従来の電話機に同様な一般的なメモリダイヤルを登録しておくものである。重要な人メモリダイヤル部２１３は、予め重要な人として一般メモリダイヤル部２１２とは別々にメモリダイヤルを登録する部分である。重要な人メモリダイヤル部２１３は、本実施例における印刷モード中に、重要な人メモリダイヤル部２１３に登録されている電話番号から着信した場合、本実施例における印刷モードを解除し、重要な人メモリダイヤル部２１３に登録されている人との通話を優先させるために予め重要な人として電話番号を登録しておく部分である。印刷データ展開部２１４は、表示部２０７に表示されている画像やテキストデータが展開される部分である。音声データ部２１５は、留守番電話モードや本実施例における印刷モード中に電話がかかってきた場合に、印刷機能付き携帯電話１０１が、各モードに対応した自動応答メッセージおよび印刷装置３００から転送され音声データに変換された印刷終了時間情報を相手に伝えるための音声データを記憶する部分である。機能処理プログラム部２１６は、留守番電話モードや本実施例における印刷モードなど各機能を実行するためのプログラムを記憶する部分である。
【００３２】
図３は、本発明の一実施形態における印刷装置３００（１０２）の要部構成を示すブロック図である。図３に示すように、本実施形態での印刷装置３００は、印刷データ受信のための入力ポート３０７、受信した印刷データを一時蓄えておく受信バッファメモリ３０８、印刷処理実行部３０９を有し、さらに印刷全データ量情報読込み部３０３と印刷済データ量算出部３０４から構成される印刷終了時間算出部３０２、印刷処理実行部３０９からのエラー信号を検知するエラー検出部３０６および、印刷終了時間情報、印刷エラーなどの情報を伝達する情報転送部３０１、および各機能を制御する制御部３０５を備えている。
【００３３】
次に各構成部分について具体的に説明する。
【００３４】
入力ポート３０７は、印刷機能付き携帯電話１０１の印刷データ転送部２１０とケーブル１０４を介して接続される入力用インターフェースである。
【００３５】
受信バッファメモリ３０８は入力ポート３０７を介して入力される印刷データを一旦蓄積するメモリである。印刷処理実行部３０９は、データ読込み部３１０、データ解析・変換部３１１、データ展開部３１２、印刷処理部３１３から構成される。データ読込み部３１０は、受信バッファメモリ３０８内に蓄積された印刷データを逐次読み込むものである。データ解析・変換部３１１は、読み込んだ印刷データを解析し、入力された印刷データを処理しやすいデータ形態に変換するものである。データ展開部３１２は、データ解析・変換部３１１によって変換されたデータを印刷イメージデータに展開する。印刷処理部３１３は、展開された印刷イメージデータに基づいて印刷処理を行うものである。印刷終了時間算出部３０２は、印刷全データ量読込み部３０３および印刷済データ量算出部３０４を有し、全印刷データのどれだけの割合の印刷データが現在印刷済みであるのかを算出し、印刷終了時間を算出するものである。印刷全データ量情報読込み部３０３は、印刷機能付き携帯電話１０１の印刷実行指示により、情報転送部３０１を介して印刷全データ量情報が格納される。印刷済データ量算出部３０４は、受信バッファメモリ３０８より印刷処理実行部３０９に転送された印刷データ量が逐次読み込まれ、印刷済データ量を算出するものである。エラー検出部３０６は、印刷処理実行部３０９より印刷エラーを検知するものである。情報転送部３０１は、印刷機能付き携帯電話１０１と印刷装置３００との情報の伝達を行うものであり。印刷機能付き携帯電話１０１から印刷開始指示を受けると印刷全データ量情報を印刷全データ量読込み部３０３に転送する役割を持つ他、印刷機能付き携帯電話１０１より印刷終了時間情報要求信号を検知すると、印刷終了時間算出部３０２より印刷終了時間情報を呼び出し、印刷機能付き携帯電話１０１に転送する役割を持つ。さらに、エラー検出部３０６より印刷エラーを検知した場合、エラー検出部３０６から印刷機能付き携帯電話１０１に転送する役割を持つ。
【００３６】
以上のように構成された印刷機能付き携帯電話１０１と印刷装置３００を接続したシステムについて、以下図４のフローチャートと図２および図３のブロック図を用いて動作を説明する。
【００３７】
印刷機能付き携帯電話１０１の画像やテキストデータが印刷データ展開部２１４に展開されている時（Ｓ４０１）、ステップＳ４０２において印刷データ展開部２１４に展開された画像やテキストデータを印刷しない場合は、通常の携帯電話の基本的な操作による処理（Ｓ４０３）を行う。ステップＳ４０２において印刷データ展開部２１４に展開された画像やテキストデータを印刷する場合、印刷機能付き携帯電話１０１のキー入力部２０６により印刷開始の指示（Ｓ４０４）を行い、印刷モードが動作（Ｓ４０５）する（以降、印刷終了まで印刷モードとなる）。なお、同時に印刷機能付き携帯電話１０１は、印刷装置３００に対して印刷実行信号を送信し、印刷実行信号を受信した印刷装置３００は印刷可能状態となり、印刷機能付き携帯電話１０１に対して印刷可能信号を返信する。印刷機能付き携帯電話１０１は、印刷可能信号を受信すると、印刷装置３００に対して印刷する全データ量情報を送信し、印刷装置３００の受信バッファメモリ３０８の容量に応じた印刷データを逐次送信し始め（Ｓ４０６）、さらに印刷処理実行部３０９へ印刷データが転送される。印刷処理実行部３０９では、はじめに受信バッファメモリ３０８内に蓄積された印刷データを逐次読み込むデータ読込み部３１０、次に読み込んだ印刷データを解析し、入力された印刷データを処理しやすいデータ形態に変換するデータ解析・変換部３１１、次にデータ解析・変換部３１１によって変換されたデータを印刷イメージデータに展開するデータ展開部３１２、最後に展開された印刷イメージデータに基づいて印刷処理を行う印刷処理部３１３に印刷データが流れ印刷が行われる。同時に印刷処理時間算出部３０２では、受信バッファメモリ３０８が印刷処理実行部３０９に転送した印刷データ量情報を逐次読込み、印刷済データ量算出部３０４において印刷済のデータ量を算出する。
【００３８】
ステップＳ４０７において、印刷モード中に着信がない場合、印刷機能付き携帯電話１０１は印刷処理が終わるまで印刷処理実行部３０９に印刷データを逐次送信し、印刷データが無くなり次第、直ちに印刷モードを解除する（ステップＳ４１４）。
【００３９】
ステップＳ４０７において、印刷モード中に着信があった場合、ステップＳ４０８へ進み、電話をかけてきた相手が、印刷機能付き携帯電話１０１の重要な人メモリダイヤル部２１３に登録してある電話番号であるかどうか識別する（Ｓ４０８）。
【００４０】
ステップＳ４０８において、電話をかけてきた相手が重要な人メモリダイヤル部２１３に登録してないか、およびまたは電話をかけてきた相手の電話番号が非通知である場合、印刷機能付き携帯電話１０１の印刷制御信号／情報転送部２０９より、印刷終了時間情報要求信号を印刷装置３００に対して送信し、印刷装置３００の印刷終了時間算出部３０２より情報転送部３０１を介して、印刷終了時間情報を得る。印刷終了時間情報は直ちに音声データに変換され、あらかじめ音声データ部２１５に登録してある現在印刷中で応対することができないことを伝える応答メッセージと印刷終了時間情報が相手に伝えられ、印刷処理は継続される。なお、印刷機能付き携帯電話１０１の表示部２０７には、印刷中に着信があったことを知らせるため、着信時刻、相手の電話番号（非通知の場合は非表示）が表示される（Ｓ４０９）。
【００４１】
ステップＳ４０８において、電話をかけてきた相手が重要な人メモリダイヤル部２１３に登録してあると判断された場合、印刷制御信号／情報転送部２０９より印刷一時停止信号を送信し、印刷データの転送を一時停止し、印刷処理を一旦停止する（Ｓ４１０）。直ちに、印刷機能付き携帯電話１０１は通話可能状態に切り替わり（Ｓ４１１）、緊急時、重要件への即時対応を可能にする。通話終了後、一度停止した印刷処理を再び続行させるか、または印刷を終了し排紙するかの選択をする（Ｓ４１２）。一度停止した印刷処理を再び続行させることを選択した場合、再び印刷データの送信を開始し印刷処理を行う。ステップＳ４１２において印刷中止を選択した場合、印刷機能付き携帯電話１０１は印刷モードを直ちに解除し、同時に印刷中止信号を印刷装置３００に対して送信し、直ちに印刷処理を中止する。
【００４２】
なお、印刷モード動作中に、印刷装置３００内のエラー検出部３０６で印刷エラーが検知された場合、印刷エラー信号が情報転送部３０１を介して印刷機能付き携帯電話１０１に転送され、直ちに、印刷機能付き携帯電話１０１の印刷モードを解除する。
【００４３】
【発明の効果】
本発明は、印刷機能付き携帯電話が印刷中に着信を受けた場合、自動的に現在印刷中で応対することができないことを伝える応答メッセージと印刷終了時間情報が相手に伝えられ、印刷処理を中断することなく印刷処理を継続することができる。また、相手に印刷終了時間を伝えることにより、電話をかけてきた相手はどのくらい経ってからかけなおせば良いかわかるようになる。さらに、受信者側の表示部に着信があったことをしらせるメッセージを表示することで、受信者自らかけなおすことが可能となる。さらに、印刷中に重要な用件で電話をかけてくる可能性がある予め登録しておいた人から着信すると、印刷を中断し通話を可能とし、緊急時や重要な用件を逃すことなく応対を可能とすることが可能となる。さらに、印刷中に印刷装置のエラー検出部より印刷エラーが通知されると、印刷機能付き携帯電話の印刷処理を直ちに解除し、自動的に通常モード（通常の携帯電話としてのモード）に切り替えることで、いつまでも通話を不可能とすることをなくすことができる。
【図面の簡単な説明】
【図１】本発明の本実施形態に用いる印刷機能付き携帯電話と印刷装置をケーブル接続したシステムの構成を示す模式図
【図２】本発明の一実施形態における印刷機能付き携帯電話の要部構成を示すブロック図
【図３】本発明の一実施形態における印刷装置の要部構成を示すブロック図
【図４】本発明の一実施形態における印刷処理および印刷中の着信処理のフローチャートを示す図
【符号の説明】
１０１  印刷機能付き携帯電話
１０２  印刷装置
１０３  印刷出力紙
１０４  ケーブル
２０１  印刷機能付き携帯電話（ブロック図）
２０２  アンテナ
２０３  通話処理部
２０４  スピーカ
２０５  マイク
２０６  キー入力部
２０７  表示部
２０８  制御部（印刷機能付き携帯電話）
２０９  印刷制御信号／情報転送部
２１０  印刷データ転送部
２１１  記憶部
２１２  一般メモリダイヤル部
２１３  重要な人メモリダイヤル部
２１４  印刷データ展開部
２１５  音声データ部
２１６  機能処理プログラム部
３００  印刷装置（ブロック図）
３０１  情報転送部
３０２  印刷終了時間算出部
３０３  印刷全データ量情報読込み部
３０４  印刷済データ量算出部
３０５  制御部（印刷装置）
３０６  エラー検出部
３０７  入力ポート
３０８  受信バッファメモリ
３０９  印刷処理実行部
３１０  データ読込み部
３１１  データ解析・変換部
３１２  データ展開部
３１３  印刷処理部
【図１】
2004220468.tif 000003
【図２】
2004220468.tif 000004
【図３】
2004220468.tif 000005
【図４】
2004220468.tif 000006